(57)【要約】【課題】デジタル放送の受信状態が悪化した場合にも、通常より多くの通信料や消費電力を必要とすることなく、デジタル放送の受信状態の悪化による映像や音声の乱れや一時停止を防ぐことを目的とする。【解決手段】地上波デジタル放送受信機能を搭載した携帯電話において、ストリーム遅延バッファ２１９は２種類のストリームのうち、早く送出されている方に遅延を加え、第１のストリーム分離部２２０はストリーム遅延バッファ２１９により遅延が加えられたストリームから一の番組の放送データを分離して出力する。また、第２のストリーム分離部２２１は遅く送出されているストリームから一の番組の放送データを分離して出力する。映像ストリーム選択部２２２、音声ストリーム選択部２２３は出力された放送データのうち、画質・音質が良い方を選択する。【選択図】図４
2007295067.tif 000002
【特許請求の範囲】
【請求項１】
複数の番組の連続した放送データが多重される第１のストリームと前記第１のストリームと同一の放送データが多重され前記第１のストリームより遅いタイミングで送信される第２のストリームとを変調したデジタル放送信号を受信するチューナ部と、
前記チューナ部により受信されたデジタル放送信号を復調し、前記第１のストリームと前記第２のストリームとを抽出する放送信号復調部と、
前記放送信号復調部により抽出された第１のストリームに遅延を加えるバッファ部と、
前記バッファ部により遅延が加えられた第１のストリームから一の番組の放送データを分離して出力する第１の分離部と、
前記放送信号復調部により抽出された第２のストリームから前記一の番組の放送データを分離して出力する第２の分離部と、
前記第１の分離部により前記第１のストリームから分離された放送データが出力されるタイミングと前記第２の分離部により前記第２のストリームから分離された放送データが出力されるタイミングとが揃うように前記第１のストリームに加える遅延の量を前記バッファ部に指示する制御部と、
前記第１の分離部と前記第２の分離部とにより放送データが出力される度に、前記第１の分離部により出力された放送データと前記第２の分離部により出力された放送データとのうちいずれかを選択するストリーム選択部と、
前記ストリーム選択部により選択された放送データを連続して出力する出力部とを備えることを特徴とするデジタル放送受信装置。
【請求項２】
前記放送データは、映像を含み、
前記制御部は、さらに、前記第１の分離部により出力された放送データの映像と前記第２の分離部により出力された放送データの映像とのうち、どちらの画質が良いかを判定し、画質が良いと判定した放送データを選択するように前記ストリーム選択部に指示することを特徴とする請求項１に記載のデジタル放送受信装置。
【請求項３】
前記放送データは、音声を含み、
前記制御部は、さらに、前記第１の分離部により出力された放送データの音声と前記第２の分離部により出力された放送データの音声とのうち、どちらの音質が良いかを判定し、音質が良いと判定した放送データを選択するように前記ストリーム選択部に指示することを特徴とする請求項１に記載のデジタル放送受信装置。
【請求項４】
前記放送データは、映像と音声とを含み、
前記デジタル放送受信装置は、さらに、
映像と音声とを含む通信データを変調した無線信号を受信する無線部と、
前記無線部により受信された無線信号を復調し、前記通信データを抽出して出力する通信信号復調部と、
前記ストリーム選択部により選択された放送データと前記通信信号復調部により出力された通信データとのいずれかのデータを選択するデータ選択部とを備え、
前記出力部は、前記データ選択部により選択されたデータの映像と音声とを出力することを特徴とする請求項１に記載のデジタル放送受信装置。
【請求項５】
デジタル放送受信装置のチューナ部が、複数の番組の連続した放送データが多重される第１のストリームと前記第１のストリームと同一の放送データが多重され前記第１のストリームより遅いタイミングで送信される第２のストリームとを変調したデジタル放送信号を受信する第１の受信ステップと、
前記デジタル放送受信装置の放送信号復調部が、前記チューナ部により受信されたデジタル放送信号を復調し、前記第１のストリームと前記第２のストリームとを抽出する放送信号復調ステップと、
前記デジタル放送受信装置のバッファ部が、前記放送信号復調部により抽出された第１のストリームに遅延を加える遅延ステップと、
前記デジタル放送受信装置の第１の分離部が、前記バッファ部により遅延が加えられた第１のストリームから一の番組の放送データを分離して出力する第１の分離ステップと、
前記デジタル放送受信装置の第２の分離部が、前記放送信号復調部により抽出された第２のストリームから前記一の番組の放送データを分離して出力する第２の分離ステップと、
前記デジタル放送受信装置の制御部が、前記第１の分離部により前記第１のストリームから分離された放送データが出力されるタイミングと前記第２の分離部により前記第２のストリームから分離された放送データが出力されるタイミングとが揃うように前記第１のストリームに加える遅延の量を前記バッファ部に指示する第１の制御ステップと、
前記デジタル放送受信装置のストリーム選択部が、前記第１の分離部と前記第２の分離部とにより放送データが出力される度に、前記第１の分離部により出力された放送データと前記第２の分離部により出力された放送データとのうちいずれかを選択するストリーム選択ステップと、
前記デジタル放送受信装置の出力部が、前記ストリーム選択部により選択された放送データを連続して出力する出力ステップとを備えることを特徴とするデジタル放送受信方法。
【請求項６】
前記放送データは、映像を含み、
前記デジタル放送受信方法は、さらに、
前記制御部が、前記第１の分離部により出力された放送データの映像と前記第２の分離部により出力された放送データの映像とのうち、どちらの画質が良いかを判定し、画質が良いと判定した放送データを選択するように前記ストリーム選択部に指示する第２の制御ステップを備えることを特徴とする請求項５に記載のデジタル放送受信方法。
【請求項７】
前記放送データは、音声を含み、
前記デジタル放送受信方法は、さらに、
前記制御部が、前記第１の分離部により出力された放送データの音声と前記第２の分離部により出力された放送データの音声とのうち、どちらの音質が良いかを判定し、音質が良いと判定した放送データを選択するように前記ストリーム選択部に指示する第２の制御ステップを備えることを特徴とする請求項５に記載のデジタル放送受信方法。
【請求項８】
前記放送データは、映像と音声とを含み、
前記デジタル放送受信方法は、さらに、
前記デジタル放送受信装置の無線部が、映像と音声とを含む通信データを変調した無線信号を受信する第２の受信ステップと、
前記デジタル放送受信装置の通信信号復調部が、前記無線部により受信された無線信号を復調し、前記通信データを抽出して出力する通信信号復調ステップと、
前記デジタル放送受信装置のデータ選択部が、前記ストリーム選択部により選択された放送データと前記通信信号復調部により出力された通信データとのいずれかのデータを選択するデータ選択ステップとを備え、
前記出力ステップは、前記出力部が、前記データ選択部により選択されたデータの映像と音声とを出力することを特徴とする請求項５に記載のデジタル放送受信方法。
【発明の詳細な説明】
【技術分野】
【０００１】
本発明は、デジタル放送受信装置及びデジタル放送受信方法に関するものである。特に、地上波デジタル放送の受信機能を搭載した携帯電話端末に関するものである。
【背景技術】
【０００２】
従来の地上波デジタル放送受信機能を搭載した携帯電話端末は、デジタル放送信号を受信するモードと、携帯電話の通信にて画像データを受信するモードを備え、デジタル放送の受信状態が悪い場合には通信にて画像データを受信するモードに切り替える構成となっていた（例えば、特許文献１参照）。
【特許文献１】特開２００５−２６９１４号公報
【発明の開示】
【発明が解決しようとする課題】
【０００３】
従来の地上波デジタル放送受信機能を搭載した携帯電話端末は、上記のような構成となっているため、デジタル放送の受信状態が悪化した場合には、通信にて画像データを受信することとなり、通信料が発生する可能性があった。また、デジタル放送受信状態が悪化した場合に、携帯電話の通信部に切り替えるため、通信部の電源をＯＮにしておく必要があり、消費電流が増大してしまうという課題があった。
【０００４】
本発明は、デジタル放送の受信状態が悪化した場合にも、通常より多くの通信料や消費電力を必要とすることなく、デジタル放送の受信状態の悪化による映像や音声の乱れや一時停止を防ぐことを目的とする。
【課題を解決するための手段】
【０００５】
本発明に係るデジタル放送受信装置は、
複数の番組の連続した放送データが多重される第１のストリームと前記第１のストリームと同一の放送データが多重され前記第１のストリームより遅いタイミングで送信される第２のストリームとを変調したデジタル放送信号を受信するチューナ部と、
前記チューナ部により受信されたデジタル放送信号を復調し、前記第１のストリームと前記第２のストリームとを抽出する放送信号復調部と、
前記放送信号復調部により抽出された第１のストリームに遅延を加えるバッファ部と、
前記バッファ部により遅延が加えられた第１のストリームから一の番組の放送データを分離して出力する第１の分離部と、
前記放送信号復調部により抽出された第２のストリームから前記一の番組の放送データを分離して出力する第２の分離部と、
前記第１の分離部により前記第１のストリームから分離された放送データが出力されるタイミングと前記第２の分離部により前記第２のストリームから分離された放送データが出力されるタイミングとが揃うように前記第１のストリームに加える遅延の量を前記バッファ部に指示する制御部と、
前記第１の分離部と前記第２の分離部とにより放送データが出力される度に、前記第１の分離部により出力された放送データと前記第２の分離部により出力された放送データとのうちいずれかを選択するストリーム選択部と、
前記ストリーム選択部により選択された放送データを連続して出力する出力部とを備えることを特徴とする。
【発明の効果】
【０００６】
本発明では、デジタル放送受信装置において、バッファ部が、放送信号復調部により抽出された第１のストリームに遅延を加え、第１の分離部が、バッファ部により遅延が加えられた第１のストリームから一の番組の放送データを分離して出力し、第２の分離部が、放送信号復調部により抽出された第２のストリームから一の番組の放送データを分離して出力し、ストリーム選択部が、第１の分離部と第２の分離部とにより放送データが出力される度に、第１の分離部により出力された放送データと第２の分離部により出力された放送データとのうちいずれかを選択することにより、デジタル放送の受信状態が悪化した場合にも、通常より多くの通信料や消費電力を必要とすることなく、デジタル放送の受信状態の悪化による映像や音声の乱れや一時停止を防ぐことが可能となる。
【発明を実施するための最良の形態】
【０００７】
以下、本発明の実施の形態について、図を用いて説明する。
【０００８】
実施の形態１．
図１は、本実施の形態に係るデジタル放送受信システムの構成を示す図である。
【０００９】
本実施の形態において、デジタル放送システム１００は、携帯電話２００ａ、デジタル放送送信装置３００を備える。携帯電話２００ａはデジタル放送受信装置の一例である。携帯電話２００ａは、後述するように、地上波デジタル放送受信機能を搭載した携帯電話端末であり、デジタル放送送信装置３００により同じ番組が時間差をつけて放送された状態で、受信状態が悪化した場合に、一方の放送が正常に表示されない場合は、もう片方の放送に切り替えるようにしたものである。また、携帯電話２００ａは、Ｗ−ＣＤＭＡ（Ｗｉｄｅｂａｎｄ・Ｃｏｄｅ・Ｄｉｖｉｓｉｏｎ・Ｍｕｌｔｉｐｌｅ・Ａｃｃｅｓｓ）技術などを利用した移動通信システム４００にも含まれ、移動通信網４０１を介して、携帯電話２００ｂとテレビ電話などの通信を行う。携帯電話２００ｂは、地上波デジタル放送受信機能を搭載していない携帯電話端末であってもよいし、携帯電話２００ａと同様に地上波デジタル放送受信機能を搭載したものであってもよい（その場合、デジタル放送システム１００は携帯電話２００ｂを含む）。
【００１０】
図２は、地上波デジタル放送受信機能を搭載した携帯電話２００ａの構成を示すブロック図である。
【００１１】
図２において、携帯電話２００ａは、ＬＣＤ２０４（液晶ディスプレイ）、カメラ２０５、マイク２０６（送話器）、スピーカ２０７（受話器）、アンテナ２５１、無線部２０８、チューナ部２１０、アプリケーション処理部２５０を備える。アプリケーション処理部２５０は、アプリケーションＣＰＵ（Ｃｅｎｔｒａｌ・Ｐｒｏｃｅｓｓｉｎｇ・Ｕｎｉｔ）２０１、多重分離部２０２、映像・音声コーデック（ＣＯＤＥＣ）部２０３、回線インタフェース（Ｉ／Ｆ）部２０９、ＯＦＤＭ（Ｏｒｔｈｏｇｏｎａｌ・Ｆｒｅｑｕｅｎｃｙ・Ｄｉｖｉｓｉｏｎ・Ｍｕｌｔｉｐｌｅｘｉｎｇ）復調部２１１、バス２５２を含む。
【００１２】
アプリケーションＣＰＵ２０１は制御部の一例である。アプリケーションＣＰＵ２０１は、携帯電話２００ａ全体を制御するメインＣＰＵであり、アプリケーション処理部２５０に含まれる各部とバス２５２を介して接続される。多重分離部２０２はテレビ電話または地上波デジタル放送受信を行う時に映像・音声が多重化されたストリームから映像・音声データを分離する。また、多重分離部２０２はテレビ電話時には、相手端末（携帯電話２００ｂ）に送信する映像・音声データを多重する機能も持つ。映像・音声コーデック部２０３は出力部の一例である。映像・音声コーデック部２０３は多重分離部２０２で分離された映像・音声データ（符号化されている）を復号し、ＬＣＤ２０４またはスピーカ２０７に出力する。ＬＣＤ２０４、スピーカ２０７は出力装置の一例である。また、映像・音声コーデック部２０３はテレビ電話時にはカメラ２０５、マイク２０６から入力された映像・音声を符号化し、多重分離部２０２に出力する機能も有する。カメラ２０５、マイク２０６は入力装置の一例である。ＬＣＤ２０４は映像・音声コーデック部２０３から出力された映像を表示する。カメラ２０５は自端末（携帯電話２００ａ）の映像を撮影する。マイク２０６は自端末（携帯電話２００ａ）の音声を入力する。スピーカ２０７は映像・音声コーデック部２０３から出力された音声を出力する。回線インタフェース部２０９は通信信号復調部の一例である。無線部２０８、回線インタフェース部２０９は、携帯電話２００ａで通信を行うための無線処理を行う。チューナ部２１０は地上波デジタル放送のチャネル選局を行う。ＯＦＤＭ復調部２１１はＯＦＤＭ変調された地上波デジタル放送の電波を復調し、ＭＰＥＧ（Ｍｏｖｉｎｇ・Ｐｉｃｔｕｒｅ・Ｅｘｐｅｒｔｓ・Ｇｒｏｕｐ）２−ＴＳ（Ｔｒａｎｓｐｏｒｔ・Ｓｔｒｅａｍ）ストリームを抽出する。
【００１３】
図３は、携帯電話２００ａが備える多重分離部２０２及び映像・音声コーデック部２０３の内部の構成を示すブロック図である。
【００１４】
図３において、多重分離部２０２は、Ｈ．２２３多重分離部２１２、ＭＰＥＧ２−ＴＳ分離部２１３、映像選択部２１４、音声選択部２１５を含む。また、映像・音声コーデック部２０３は、映像コーデック部２１６、音声コーデック部２１７を含む。
【００１５】
Ｈ．２２３多重分離部２１２はテレビ電話通信時に相手端末（携帯電話２００ｂ）から受信したＩＴＵ−Ｔ（Ｉｎｔｅｒｎａｔｉｏｎａｌ・Ｔｅｌｅｃｏｍｍｕｎｉｃａｔｉｏｎ・Ｕｎｉｏｎ・Ｔｅｌｅｃｏｍｍｕｎｉｃａｔｉｏｎ・Ｓｔａｎｄａｒｄｉｚａｔｉｏｎ・Ｓｅｃｔｏｒ）勧告Ｈ．２２３に準拠した多重化ストリームを映像・音声データに分離し、また自端末（携帯電話２００ａ）で符号化した映像・音声データをＩＴＵ−Ｔ勧告Ｈ．２２３に準拠した多重化ストリームに多重化し相手端末（携帯電話２００ｂ）に送信する。ＭＰＥＧ２−ＴＳ分離部２１３は地上波デジタル放送受信時に、ＡＲＩＢ（社団法人電波産業会）で規定されたＭＰＥＧ２−ＴＳフォーマットの多重化ストリームから映像・音声データを分離する。映像選択部２１４、音声選択部２１５はデータ選択部の一例である。映像選択部２１４はテレビ電話通信時または地上波デジタル放送受信時の動作モードに応じて、Ｈ．２２３多重分離部２１２またはＭＰＥＧ２−ＴＳ分離部２１３のいずれかの映像データを選択するセレクタである。音声選択部２１５はテレビ電話通信時または地上波デジタル放送受信時の動作モードに応じて、Ｈ．２２３多重分離部２１２またはＭＰＥＧ２−ＴＳ分離部２１３のいずれかの音声データを選択するセレクタである。ここで、動作モードは携帯電話２００ａのユーザにより選択されてアプリケーションＣＰＵ２０１が設定するものであり、例えばテレビ電話通信時にはテレビ電話通信の動作モード、地上波デジタル放送受信時には地上波デジタル放送受信の動作モードが設定される。ユーザは、携帯電話２００ａが備える不図示の操作ボタンなどの入力装置によりこれらの動作モードを選択する。映像コーデック部２１６は映像・音声コーデック部２０３において、映像の符号化／復号処理を行う。音声コーデック部２１７は映像・音声コーデック部２０３において、音声の符号化／復号処理を行う。
【００１６】
図４は、携帯電話２００ａが備える多重分離部２０２に含まれるＭＰＥＧ２−ＴＳ分離部２１３の内部の構成を示すブロック図である。
【００１７】
図４において、ＭＰＥＧ２−ＴＳ分離部２１３は、番組情報解析部２１８、ストリーム遅延バッファ２１９、第１のストリーム分離部２２０、第２のストリーム分離部２２１、映像ストリーム選択部２２２、音声ストリーム選択部２２３を含む。番組情報解析部２１８はＯＦＤＭ復調部２１１とともに、放送信号復調部２５３を構成する。
【００１８】
番組情報解析部２１８はＯＦＤＭ復調部２１１から受信したＭＰＥＧ２−ＴＳフォーマットの多重化ストリームを解析し、映像・音声を分離するために必要な情報を抽出する。ストリーム遅延バッファ２１９はバッファ部の一例である。ストリーム遅延バッファ２１９はＯＦＤＭ復調部２１１から受信するＭＰＥＧ２−ＴＳ多重化ストリームに多重されている番組の中で、早く送出されている方のストリーム（以下、第１のストリームともいう）に対し、ある一定量の遅延を発生させるための遅延バッファ（バッファメモリ）である。第１のストリーム分離部２２０は第１の分離部の一例である。第１のストリーム分離部２２０はストリーム遅延バッファ２１９で一定量の遅延が加えられたＭＰＥＧ２−ＴＳのストリームから映像・音声のチャネルを分離する。第２のストリーム分離部２２１は第２の分離部の一例である。第２のストリーム分離部２２１は遅延が加えられていない方のストリーム（以下、第２のストリームともいう）から映像・音声のチャネルを分離する。映像ストリーム選択部２２２、音声ストリーム選択部２２３はストリーム選択部の一例である。映像ストリーム選択部２２２はアプリケーションＣＰＵ２０１からの指示で、どちらの分離部のストリームを映像選択部２１４に出力するかを切り替えるためのセレクタである。音声ストリーム選択部２２３はアプリケーションＣＰＵ２０１からの指示で、どちらの分離部のストリームを音声選択部２１５に出力するかを切り替えるためのセレクタである。
【００１９】
次に地上波デジタル放送受信時の携帯電話２００ａの動作について説明する。図５から図７は、携帯電話２００ａの動作を示すフローチャートである。
【００２０】
ユーザが地上波デジタル放送の受信（地上波デジタル放送受信の動作モード）を操作ボタンなどの入力装置により選択した場合、アプリケーションＣＰＵ２０１はチューナ部２１０、ＯＦＤＭ復調部２１１に電力を供給し、地上波デジタル放送の受信動作を開始する。このとき、チューナ部２１０は、デジタル放送送信装置３００から送信される第１のストリームとデジタル放送送信装置３００から第１のストリームより遅いタイミングで送信される第２のストリームとを変調したデジタル放送信号を受信する（ステップＳ１０１：第１の受信ステップ）。ＯＦＤＭ復調部２１１は、チューナ部２１０により受信されたデジタル放送信号を復調する（ステップＳ１０２）。
【００２１】
多重分離部２０２では、まず、ＭＰＥＧ２−ＴＳ分離部２１３の動作が開始され、ＭＰＥＧ２−ＴＳ分離部２１３の中では、ＭＰＥＧ２−ＴＳのストリームの解析が行われる。図８に携帯電話２００ａのＭＰＥＧ２−ＴＳ分離部２１３により出力される映像データのタイミングの一例を示す。映像データＡ１２４は番組情報解析部２１８から出力され、ストリーム遅延バッファ２１９に入力される映像データである。映像データＢ１２５は番組情報解析部２１８から出力され、第２のストリーム分離部２２１に入力される映像データであり、一定時間の遅延を持たせて放送されているものである。バッファリング後の映像データＡ１２６はストリーム遅延バッファ２１９の出力データである。表示画像データ１２７は、映像ストリーム選択部２２２を経由し、映像選択部２１４を経由し、映像コーデック部２１６に入力される表示用の画像データである。音声データも、同様のタイミングで出力される。ここで、図８において、ｎが整数であるとき、「画像ｎ」と「画像ｎ’」は同じ番組の同じ画像データを表す。このように、ＯＦＤＭ復調部２１１から多重分離部２０２に含まれるＭＰＥＧ２−ＴＳ分離部２１３が受信するＭＰＥＧ２−ＴＳの多重化ストリームには同一番組（以下、番組Ｘという）で一定時間の遅延を持たせた２種類のストリームが多重されている。遅延時間の短いストリーム（第１のストリーム）である映像データＡ１２４がストリーム遅延バッファ２１９に入力され、第１のストリーム分離部２２０に入力される。そして一定時間の遅延を持たせたストリーム（第２のストリーム）である映像データＢ１２５は、第２のストリーム分離部２２１に入力される。第１のストリーム分離部２２０にて分離された映像データは映像ストリーム選択部２２２に入力される。同様に音声データは音声ストリーム選択部２２３に入力される。第２のストリーム分離部２２１で分離された映像データも映像ストリーム選択部２２２に入力され、音声データは音声ストリーム選択部２２３に入力される。第１のストリーム分離部２２０から出力されるデータと第２のストリーム分離部２２１から出力されるデータの時間差は０となるよう、アプリケーションＣＰＵ２０１はストリーム遅延バッファ２１９にて遅延量を制御する。
【００２２】
このように、番組情報解析部２１８は、ＯＦＤＭ復調部２１１により復調されたデジタル放送信号から第１のストリームと第２のストリームとを抽出する（ステップＳ１０３）（ステップＳ１０２〜Ｓ１０３：放送信号復調ステップ）。アプリケーションＣＰＵ２０１は、第１のストリーム分離部２２０により第１のストリームから放送データ（映像データまたは音声データ）が分離されて出力されるタイミングと第２のストリーム分離部２２１により第２のストリームから放送データが分離されて出力されるタイミングとが揃うように第１のストリームに加える遅延の量をストリーム遅延バッファ２１９に指示する（ステップＳ１０４：第１の制御ステップ）。ストリーム遅延バッファ２１９は、番組情報解析部２１８により抽出された第１のストリームに、アプリケーションＣＰＵ２０１により指示された量の遅延を加える（ステップＳ１０５：遅延ステップ）。第１のストリーム分離部２２０は、ストリーム遅延バッファ２１９により遅延が加えられた第１のストリームから番組Ｘの放送データを分離して出力する（ステップＳ１０６：第１の分離ステップ）。第２のストリーム分離部２２１は、番組情報解析部２１８により抽出された第２のストリームから番組Ｘの放送データを分離して出力する（ステップＳ１０７：第２の分離ステップ）。
【００２３】
通常エラーのない状態では、第１のストリーム分離部２２０から出力される映像データと音声データが映像ストリーム選択部２２２と音声ストリーム選択部２２３で選択されている。地上波デジタル放送の受信感度悪化により、ストリームにエラーが混入される（発生する）と、例えば図８の映像データＡ１２４の「画像４」及び映像データＢ１２５の「画像１’」にノイズが重畳される。この場合、もし映像データＡ１２４を選択していると「画像４」を表示するタイミングでエラーによる画質の劣化や一時停止が発生する。この時、映像データＢ１２５の「画像４’」にはノイズが重畳されていないため、映像データＡ１２４の「画像４」の代わりに映像データＢ１２５の「画像４’」を映像コーデック部２１６で復号すれば、映像の乱れや一時停止が発生することなく、表示が可能となる。
【００２４】
このように、アプリケーションＣＰＵ２０１は、第１のストリーム分離部２２０により出力された放送データの映像・音声と第２のストリーム分離部２２１により出力された放送データの映像・音声とのうち、どちらの画質・音質が良いかを判定する（ステップＳ１０８）。第１のストリームの方が画質・音質が良いと判定した場合（上記の例では、第１のストリームの映像・音声にノイズが混じっていることを検知しなかった場合）には、アプリケーションＣＰＵ２０１は、第１のストリーム分離部２２０により出力された放送データに含まれる映像データを選択するように映像ストリーム選択部２２２に指示するとともに（ステップＳ１０９）、第１のストリーム分離部２２０により出力された放送データに含まれる音声データを選択するように音声ストリーム選択部２２３に指示する（ステップＳ１１０）。一方、第２のストリームの方が画質・音質が良いと判定した場合（上記の例では、第１のストリームの映像・音声にノイズが混じっていることを検知した場合）には、アプリケーションＣＰＵ２０１は、第２のストリーム分離部２２１により出力された放送データに含まれる映像データを選択するように映像ストリーム選択部２２２に指示するとともに（ステップＳ１１１）、第２のストリーム分離部２２１により出力された放送データに含まれる音声データを選択するように音声ストリーム選択部２２３に指示する（ステップＳ１１２）（ステップＳ１０８〜Ｓ１１２：第２の制御ステップ）。ここで、アプリケーションＣＰＵ２０１は、映像と音声について別々に判定を行ってもよいし、映像と音声のどちらか一方のみについて判定を行ってもよい。前者の場合、例えば、ステップＳ１０８において、画質が良いストリームは第１のストリームであるが、音質が良いストリームは第２のストリームであると判定した場合には、アプリケーションＣＰＵ２０１は、ステップＳ１０９とステップＳ１１２の処理を行う。また、例えば、ステップＳ１０８において、画質が良いストリームは第２のストリームであるが、音質が良いストリームは第１のストリームであると判定した場合には、アプリケーションＣＰＵ２０１は、ステップＳ１１０とステップＳ１１１の処理を行う。そして、後者の場合、例えば、ステップＳ１０８において、第１のストリームの方が画質が良いと判定した場合には、アプリケーションＣＰＵ２０１は、音質については判定せず、自動的にステップＳ１０９とステップＳ１１０の処理を行う。また、例えば、ステップＳ１０８において、第２のストリームの方が画質が良いと判定した場合には、アプリケーションＣＰＵ２０１は、音質については判定せず、自動的にステップＳ１１１とステップＳ１１２の処理を行う。
【００２５】
映像ストリーム選択部２２２は、第１のストリーム分離部２２０と第２のストリーム分離部２２１とにより放送データが出力される度に、第１のストリーム分離部２２０により出力された放送データに含まれる映像データと第２のストリーム分離部２２１により出力された放送データに含まれる映像データとのうち、アプリケーションＣＰＵ２０１により指示された映像データを選択する（ステップＳ１１３）。音声ストリーム選択部２２３は、第１のストリーム分離部２２０と第２のストリーム分離部２２１とにより放送データが出力される度に、第１のストリーム分離部２２０により出力された放送データに含まれる音声データと第２のストリーム分離部２２１により出力された放送データに含まれる音声データとのうち、アプリケーションＣＰＵ２０１により指示された音声データを選択する（ステップＳ１１４）（ステップＳ１１３〜Ｓ１１４：ストリーム選択ステップ）。
【００２６】
多重分離部２０２では、次に、映像選択部２１４でＭＰＥＧ２−ＴＳ分離部２１３からの出力が選択される。つまり、映像選択部２１４は、映像ストリーム選択部２２２により選択された映像データを選択する（ステップＳ２０３）。また、音声選択部２１５でもＭＰＥＧ２−ＴＳ分離部２１３からの出力が選択される。つまり、音声選択部２１５は、音声ストリーム選択部２２３により選択された音声データを選択する（ステップＳ２０４）（ステップＳ２０３〜Ｓ２０４：データ選択ステップ）。そして、映像コーデック部２１６は、映像選択部２１４により選択された映像データを復号して映像をＬＣＤ２０４に出力する（ステップＳ２０５）。音声コーデック部２１７は、音声選択部２１５により選択された音声データを復号して音声をスピーカ２０７に出力する（ステップＳ２０６）（ステップＳ２０５〜Ｓ２０６：出力ステップ）。
【００２７】
一方、ユーザがテレビ電話通信の動作モードを操作ボタンなどの入力装置により選択した場合、無線部２０８は、移動通信網４０１を介して、携帯電話２００ｂから通信データを変調した無線信号を受信する（ステップＳ２０１：第２の受信ステップ）。回線インタフェース部２０９は、無線部２０８により受信された無線信号を復調し、通信データを抽出して出力する（ステップＳ２０２：通信信号復調ステップ）。そして、映像選択部２１４は、Ｈ．２２３多重分離部２１２が回線インタフェース部２０９により出力された通信データから分離した映像データを選択する（ステップＳ２０３）。音声選択部２１５は、Ｈ．２２３多重分離部２１２が回線インタフェース部２０９により出力された通信データから分離した音声データを選択する（ステップＳ２０４）（ステップＳ２０３〜Ｓ２０４：データ選択ステップ）。そして、映像コーデック部２１６は、映像選択部２１４により選択された映像データを復号して映像をＬＣＤ２０４に出力する（ステップＳ２０５）。音声コーデック部２１７は、音声選択部２１５により選択された音声データを復号して音声をスピーカ２０７に出力する（ステップＳ２０６）（ステップＳ２０５〜Ｓ２０６：出力ステップ）。
【００２８】
以上のように、本実施の形態で説明した携帯電話２００ａは、地上波デジタル放送を受信する機能を搭載したものであり、テレビ電話または地上波デジタル放送受信を行う時に映像・音声が多重化されたストリームから映像・音声データを分離する多重分離部２０２と、多重分離部２０２で分離された符号化された映像・音声データを復号し、液晶部（ＬＣＤ２０４）またはスピーカ２０７に出力する映像・音声ＣＯＤＥＣ部（映像・音声コーデック部２０３）と、映像・音声ＣＯＤＥＣ部から出力された映像を表示するための液晶部と、映像・音声ＣＯＤＥＣ部から出力された音声を出力するためのスピーカ２０７または受話器と、携帯電話２００ａで地上波デジタル放送のチャネル選局を行うチューナ部２１０と、ＯＦＤＭ変調された地上波デジタル放送の電波を復調し、ＭＰＥＧ２−ＴＳストリームを抽出するＯＦＤＭ復調部２１１を備えている。
【００２９】
本実施の形態は、デジタル放送受信装置として、地上波デジタル放送受信機能を搭載した携帯電話２００ａの他に、据え置き型の地上波デジタル放送受信機などにも適用が可能である。
【００３０】
このように、本実施の形態では、地上波デジタル放送を受信可能な携帯電話において、地上波デジタル放送の受信感度の悪化に伴い画像の乱れや一時停止する問題を、通信を用いずに解決することで、通信料の増大や消費電流の増大を防ぐ。つまり、これまでの地上波デジタル放送受信機能を搭載した携帯電話では、地上波デジタル放送の受信感度が悪化し、画像の乱れや一時停止する状態になった場合、ストリームを携帯電話の通信網から受信する方式であったため、通信料が増大する課題があった。また、受信感度が悪化した時に備え、携帯電話の通信部を常に電源をＯＮにしておく必要があったため、消費電流が増大する課題があった。一方、本実施の形態では、地上波デジタル放送で、同じ番組を一定の時間差を付けて放送しておき、携帯電話側では遅延バッファに蓄えながら受信しておく。映像を再生する時点で、バッファに蓄えておいたデータとリアルタイムで受信しているデータを比較し、エラーのない方のデータを再生する。これにより、本実施の形態によれば、携帯電話２００ａの通信機能を利用せずに、デジタル放送の受信状態悪化による表示画像の乱れや一時停止を防ぐことができるため、通信料が発生しない。また、携帯電話の通信部を動作させておく必要がないため、消費電流の増大を防ぐことが可能となる。
【００３１】
実施の形態２．
実施の形態１では、番組Ｘが第１のストリームと第２のストリームとの２種類のストリームに（他の番組とともに）多重されていたが、同様に３種類以上のストリームに多重されていてもよい。例えば、番組Ｘを第１のストリーム、第２のストリーム、第３のストリーム（０≦第１のストリームの遅延時間＜第２のストリームの遅延時間＜第３のストリームの遅延時間とする）の３種類のストリームに多重する場合、実施の形態１でＭＰＥＧ２−ＴＳ分離部２１３に第１のストリーム用の遅延バッファを設けていたのと同様に、第２のストリーム用の遅延バッファを設ける（同様に、第１のストリーム分離部、第２のストリーム分離部の他に第３のストリーム分離部を設ける）。
【００３２】
本実施の形態によれば、実施の形態１よりもさらにデジタル放送の受信状態が劣悪な場合であっても、受信状態の悪化を要因とする出力画像・音声の乱れや一時停止を防ぐことが可能となる。
【００３３】
実施の形態３．
実施の形態１及び２では、１種類以上のストリームにより別のストリームと同じ番組を一定時間遅延させて送出していたが、そのうち１つのストリームには、受信感度悪化によるエラーが発生していることを示すガイダンスを送出しておくことも可能である（例えば、図８の映像データＢ１２５を、ガイダンスを示すテキストデータや画像データなどとする）。このような構成にしておくことで、映像が乱れた時は受信感度の悪化が発生していることをユーザに通知することが可能となる。
【図面の簡単な説明】
【００３４】
【図１】実施の形態１に係るデジタル放送受信システムの構成を示す図である。
【図２】実施の形態１に係るデジタル放送受信装置の構成を示すブロック図である。
【図３】実施の形態１に係るデジタル放送受信装置の構成を示すブロック図である。
【図４】実施の形態１に係るデジタル放送受信装置の構成を示すブロック図である。
【図５】実施の形態１に係るデジタル放送受信装置の動作を示すフローチャートである。
【図６】実施の形態１に係るデジタル放送受信装置の動作を示すフローチャートである。
【図７】実施の形態１に係るデジタル放送受信装置の動作を示すフローチャートである。
【図８】実施の形態１に係るデジタル放送受信装置により出力される映像データのタイミングの一例を示すタイミングチャートである。
【符号の説明】
【００３５】
１００  デジタル放送システム、１２４  映像データＡ、１２５  映像データＢ、１２６  バッファリング後の映像データＡ、１２７  表示画像データ、２００  携帯電話、２０１  アプリケーションＣＰＵ、２０２  多重分離部、２０３  映像・音声コーデック部、２０４  ＬＣＤ、２０５  カメラ、２０６  マイク、２０７  スピーカ、２０８  無線部、２０９  回線インタフェース部、２１０  チューナ部、２１１  ＯＦＤＭ復調部、２１２  Ｈ．２２３多重分離部、２１３  ＭＰＥＧ２−ＴＳ分離部、２１４  映像選択部、２１５  音声選択部、２１６  映像コーデック部、２１７  音声コーデック部、２１８  番組情報解析部、２１９  ストリーム遅延バッファ、２２０  第１のストリーム分離部、２２１  第２のストリーム分離部、２２２  映像ストリーム選択部、２２３  音声ストリーム選択部、２５０  アプリケーション処理部、２５１  アンテナ、２５２  バス、２５３  放送信号復調部、３００  デジタル放送送信装置、４００  移動通信システム、４０１  移動通信網。
【図１】
2007295067.tif 000003
【図２】
2007295067.tif 000004
【図３】
2007295067.tif 000005
【図４】
2007295067.tif 000006
【図５】
2007295067.tif 000007
【図６】
2007295067.tif 000008
【図７】
2007295067.tif 000009
【図８】
2007295067.tif 000010